(57)【要約】【課題】冷凍機に発生した異常の記録や冷凍機に施された処置の記録をメモリに残して故障の発生原因を的確に把握することができる冷凍機の制御装置を提供する。【解決手段】制御装置（コントローラ２８）は、冷凍機１に発生した異常を検知する手段（各センサ）と、冷凍機１に施された処置を検知する手段と、情報を読み書き可能な記録手段（メモリ２９）とを設ける。記録手段（メモリ２９）は、冷凍機１に発生した異常に関する異常情報、及び、冷凍機１に施された処置に関する処置情報を記録手段（メモリ２９）に記録する。【選択図】      図２
2004286290.tif 000002
【特許請求の範囲】
【請求項１】
冷凍機に発生した異常を検知する手段と、前記冷凍機に施された処置を検知する手段と、情報を読み書き可能な記録手段とを備え、
前記冷凍機に発生した異常に関する異常情報、及び、前記冷凍機に施された処置に関する処置情報を前記記録手段に記録することを特徴とする冷凍機の制御装置。
【請求項２】
前記冷凍機を構成するコンプレッサの通電を制御するためのマグネットスイッチに施された操作を前記処置情報として前記記録手段に記録することを特徴とする請求項１の冷凍機の制御装置。
【請求項３】
前記マグネットスイッチのコイルが非通電の状態で当該マグネットスイッチの二次側に電圧若しくは電流が生じたことに基づいて当該マグネットスイッチに操作が施されたことを検知することを特徴とする請求項２の冷凍機の制御装置。
【請求項４】
前記冷凍機の給電経路に設けられた漏電遮断器に施された操作を前記処置情報として前記記録手段に記録することを特徴とする請求項１の冷凍機の制御装置。
【発明の詳細な説明】
【０００１】
【発明の属する技術分野】
本発明は、冷凍機に発生した異常に関する異常情報、及び、冷凍機に施された処置に関する処置情報を記録手段に記録する冷凍機の制御装置に関するものである。
【０００２】
【従来の技術】
従来より冷凍、冷蔵ショーケースなどの庫内を冷却するため冷凍機が設けられている（特許文献１参照）。該冷凍機はコンプレッサに設けられた三相交流商用電源で駆動される駆動モータが運転されると、コンプレッサから高温高圧のガス冷媒が吐出され、吐出された高温高圧のガス冷媒は凝縮器に流入する。
【０００３】
そして、凝縮器に流入した冷媒はそこで放熱して凝縮液化された後膨張弁に至り、そこで絞られた後蒸発器に流入する。蒸発器に流入した液冷媒はそこで蒸発気化し、そのときに周囲から熱を吸収することにより冷却作用を発揮して商品陳列室内を冷却する。そして、蒸発器を出た冷媒はコンプレッサに吸い込まれる冷媒サイクルを繰り返す。
【０００４】
このような冷凍機の設置時、或いは、メンテナンス時などに駆動モータへの配線接続順序に間違い（逆相）が発生してしまう場合がある。駆動モータの配線が逆相の状態で冷凍機が運転されると冷凍機に不具合や故障が発生してしまうため、制御装置で逆相を検出しマグネットスイッチをＯＦＦにして駆動モータの運転を停止し冷凍機を保護していた。
【０００５】
該マグネットスイッチには押し釦が設けられており、この押し釦は、マグネットスイッチの接点の開閉に連動して、その接点を開閉させる目的で連結できるように設けられている。この押し釦は突出し露出して設けられマグネットスイッチの接点に連動して出没するように構成されているので、露出した押し釦を押せば故意に内部の接点を閉じマグネットスイッチをＯＮさせることができる構造とされている。
【０００６】
ところで、冷凍機の制御装置には情報を記録できるメモリが設けられている。このメモリには、コンプレッサの異常高温の記録や放熱器や凝縮器の目詰まりによる高低圧異常の記録などの情報を記録していた。そして、冷凍機が故障した際は、メモリに記録された情報を読み出して解析し、故障時の修理に活用していた。
【０００７】
【特許文献１】
特開平１−１７４８７０号公報。
【０００８】
【発明が解決しようとする課題】
しかしながら、冷凍機を取り扱うユーザーによっては、冷凍機の設置時或いはメンテナンス時に、マグネットスイッチに露出して設けられた押し釦を操作して直接駆動モータを運転してしまう場合がある。しかし、マグネットスイッチに設けられた押し釦が直接操作された場合の操作記録は従来では制御装置のメモリに記録されなかった。このため、メモリの情報を見ても押し釦の操作記録が無いため、故障の原因究明に手間取っていた。そこで、冷凍機に発生した異常の記録や冷凍機に施された処置の記録をメモリに残すことができる冷凍機の制御装置の開発が望まれていた。
【０００９】
本発明は、係る従来技術の課題を解決するために成されたものであり、冷凍機に発生した異常の記録や冷凍機に施された処置の記録をメモリに残して故障の発生原因を的確に把握することができる冷凍機の制御装置を提供することを目的とする。
【００１０】
【課題を解決するための手段】
即ち、本発明では、冷凍機に発生した異常を検知する手段と、冷凍機に施された処置を検知する手段と、情報を読み書き可能な記録手段とを備え、冷凍機に発生した異常に関する異常情報、及び、冷凍機に施された処置に関する処置情報を記録手段に記録するので、冷凍機に発生した異常の記録、及び、冷凍機に施された処置の記録情報を記録手段から読み出し、解析することにより冷凍機の故障の原因を明確に把握することができるようになる。これにより、サービス及び修理の迅速化を図ることが可能となる。従って、故障修理に適切な処置をとることができるようになると共に、誤った処置が施された記録情報が残るので故障の発生原因を的確に把握することができ、より一層適切な修理ができるようになるものである。
【００１１】
請求項２の発明では上記において、冷凍機を構成するコンプレッサの通電を制御するためのマグネットスイッチに施された操作を処置情報として記録手段に記録するので、例えば、マグネットスイッチのＯＦＦが制御装置の通常制御のときにマグネットスイッチの押し釦が故意に押されてＯＮしたのを把握することができる。これにより、故障の原因を絞り込むことが可能となる。従って、故障の発生原因を的確に把握することができ故障修理の適切な処置をとることができるので、故障修理を迅速に行うことができるようになるものである。
【００１２】
請求項３の発明では請求項２において、マグネットスイッチのコイルが非通電の状態で当該マグネットスイッチの二次側に電圧若しくは電流が生じたことに基づいて当該マグネットスイッチに操作が施されたことを検知するので、例えば、マグネットスイッチのＯＦＦが制御装置の通常制御のときにマグネットスイッチの押し釦が故意に押されてＯＮしたのを把握することができる。これにより、冷凍機の故障の原因を絞り込むことが可能となる。従って、故障の発生原因を的確に把握することができ故障修理の適切な処置をとることができるので、故障修理を迅速に行うことができるようになるものである。
【００１３】
請求項４の発明では請求項１において、冷凍機の給電経路に設けられた漏電遮断器に施された操作を処置情報として記録手段に記録するので、例えば、漏電後に漏電遮断器が復活され、その後に冷凍機の運転の操作が行われたのを把握することができる。これにより、故障原因を絞り込むことが可能となる。従って、故障の発生原因を的確に把握することができ故障修理の適切な処置をとることができるので、故障修理を迅速に行うことができるようになるものである。
【００１４】
【発明の実施の形態】
次に、図面に基づき本発明の実施形態を詳述する。図１は本発明のコントローラ２８を備えた冷凍機１の冷媒回路図、図２は本発明の冷凍機１のコントローラ２８の電気回路図（漏電遮断器１６部分）、図３は本発明の冷凍機１のコントローラ２８に用いられるマグネットスイッチＭｇＳＷの斜視図、図４は本発明の冷凍機１のコントローラ２８の電気回路図（駆動モータ１５部分）をそれぞれ示している。図中１は冷凍機であり、この冷凍機１は、例えば冷凍、冷蔵ショーケース等の庫内を冷却するために用いられるもので、冷凍機１に設けられたコンプレッサ２の吐出側の配管２Ａは凝縮器３に接続されている。
【００１５】
凝縮器３の出口側の配管３Ａは、凝縮器３に接続され凝縮器３は図示しない受液器を介して減圧装置としての膨張弁４に接続されている。膨張弁４は蒸発器５に接続され、蒸発器５の出口側は未蒸発液冷媒の気液分離を行うこれもまた図示しないアキュムレータを介してコンプレッサ２の吸込側の配管２Ｂに接続されて環状の冷媒回路を構成している。
【００１６】
前記凝縮器３と膨張弁４の間の配管３Ａには、リキッドインジェクション回路８が設けられている。このリキッドインジェクション回路８は、配管３Ａから電磁弁６、及び、キャピラリチューブ７を介してコンプレッサ２に接続されている。
【００１７】
また、コンプレッサ２の出口側の配管２Ａには高圧センサ１１（本発明の冷凍機１に発生した異常を検知する手段に相当）が接続され、コンプレッサ２の入り口側の配管２Ｂには低圧センサ１２（本発明の冷凍機１に発生した異常を検知する手段に相当）が接続されている。更に、コンプレッサ２の出口側の配管２Ａと入り口側の配管２Ｂの間にはバイパス配管１３Ａが接続され、バイパス配管１３Ａの途中にはバイパス電磁弁１３が接続されている。
【００１８】
これら高圧センサ１１と低圧センサ１２及びバイパス電磁弁１３は、冷凍機１の運転制御を行うコントローラ２８（本発明の制御装置に相当）に接続されている。このコントローラ２８は、汎用マイクロコンピュータなどで構成されており、この汎用マイクロコンピュータには冷凍機１の運転制御を行うプログラムを備えている。また、コントローラ２８にはメモリ２９（本発明の記録手段に相当）が設けられており、このメモリ２９は、コンプレッサ２の高温異常、蒸発器５や凝縮器３の目詰まり、コンプレッサ２の液圧縮、駆動モータ１５への配線接続順序違い（逆相）などの故障情報履歴、或いは、後述する操作情報などを書き込んで記録すると共に、読み出し可能に構成されている。
【００１９】
即ち、メモリ２９は、半導体メモリにて構成されており、冷凍機１に施された運転操作などの処置に関する処置情報、或いは、冷凍機１に発生した異常情報などを読み書き可能に構成されている。尚、コントローラ２８には図示しない表示装置、或いは、出力装置が設けられており、メモリ２９に書き込まれて記録された情報は表示装置に表示可能に構成されると共に、出力装置から出力される情報はパソコンなどの表示装置に表示可能に構成されている。
【００２０】
そして、配管２Ａ内と配管２Ｂ内の圧力を高圧センサ１１及び低圧センサ１２が検知し、コントローラ２８はその高圧センサ１１及び低圧センサ１２が検知した情報から両配管２Ａ、２Ｂの圧力差の異常情報（本発明の異常情報に相当）を検出する。コントローラ２８が圧力差の異常情報を検出するとコントローラ２８は、バイパス電磁弁１３の開度を調整し警報装置（図示せず）を動作させてコンプレッサ２を停止して保護すると共に、その故障情報をメモリ２９に書き込んで記録する。
【００２１】
また、コンプレッサ２の出口側の配管２Ａには温度センサ１０（本発明の冷凍機１に発生した異常を検知する手段に相当）が設けられており、この温度センサ１０もコントローラ２８に接続されている。そして、コントローラ２８は、コンプレッサ２の出口側の配管２Ａに取り付けられた温度センサ１０が検知した温度によって電磁弁６の開度を調整する。
【００２２】
即ち、コントローラ２８は、コンプレッサ２の出口側の配管２Ａの温度が、予め設定された温度より高い場合（この場合、予め設定した温度より高い温度を本発明の異常情報としている）、電磁弁６を開いて凝縮器３から出た冷媒をリキッドインジェクション回路８に流入させる。リキッドインジェクション回路８に流入した冷媒はキャピラリチューブ７で絞られてコンプレッサ２に流入し吸熱作用を発揮する。これによりコントローラ２８は、コンプレッサ２が加熱してしまうのを防止すると共に、その異常情報をメモリ２９に書き込んで記録する。
【００２３】
前記、冷凍機１にはコンプレッサ２を駆動するための駆動モータ１５が設けられている。この駆動モータ１５は、電源スイッチ（マグネットスイッチ）ＭｇＳＷ及び漏電遮断器１６を介して三相交流商用電源ＡＣに接続されている（図２）。即ち、冷凍機１には三相交流商用電源ＡＣから漏電遮断器１６、マグネットスイッチＭｇＳＷを介して駆動モータ１５に給電される給電経路が設けられており、給電経路に設けられた漏電遮断器１６には漏電検知センサ１７が設けられ、この漏電検知センサ１７は前記コントローラ２８に接続されている。尚、２６は三相交流商用電源ＡＣからマグネットスイッチＭｇＳＷへの通電をＯＮ／ＯＦＦするための固定片２６Ａと可動片２６Ｂとからなる接点である。
【００２４】
マグネットスイッチＭｇＳＷには接点をＯＮ／ＯＦＦさせるためのコイル２０が設けられており、コイル２０の一側はコントローラ２８に接続され、他側はスイッチＳＷ１を介してコントローラ２８に接続されている。そして、コントローラ２８によってスイッチＳＷ１が閉じられコイル２０に所定の電圧が通電されると、コイル２０は励磁されて接点２５が閉じ、マグネットスイッチＭｇＳＷはＯＮになる。コイル２０への通電がＯＦＦになるとコイルの励磁は解除されるので接点２５は開放されマグネットスイッチＭｇＳＷはＯＦＦになる。即ち、コントローラ２８は、コイル２０への通電を制御してマグネットスイッチＭｇＳＷの接点２５をＯＮ／ＯＦＦする。
【００２５】
また、マグネットスイッチＭｇＳＷには所定寸法突出した押し釦２３が設けられており、この押し釦２３はスイッチＳＷ１と連動している。そして、押し釦２３が押されるとスイッチＳＷ１が閉じてマグネットスイッチＭｇＳＷのコイル２０に所定の電圧が印加されて励磁される。即ち、押し釦２３はマグネットスイッチＭｇＳＷを強制的にＯＮすることができる。この押し釦２３は、冷凍機１を単独で運転試験することができる。
【００２６】
押し釦２３の上下には保護支柱２３Ａが設けられており、これらの保護支柱２３Ａは押し釦２３の上方左右に２カ所、下方に１カ所設けられている（図３）。各保護支柱２３Ａは、押し釦２３より所定寸法突出しており、この突出した保護支柱２３Ａによって、マグネットスイッチＭｇＳＷに何か触れた場合でも押し釦２３が押されないように構成されている。尚、マグネットスイッチＭｇＳＷには複数のターミナル２４が設けられている。
【００２７】
そして、係る押し釦２３はマグネットスイッチＭｇＳＷを強制的にＯＮすることができることから、冷凍機１の設置後、或いは、メンテナンス後や修理後などに押し釦２３を押しマグネットスイッチＭｇＳＷをＯＮさせて冷凍機１の動作試験を行うことができる。また、コントローラ２８でマグネットスイッチＭｇＳＷがＯＦＦ制御の状態であっても、押し釦２３が押された際マグネットスイッチＭｇＳＷはＯＮする。即ち、冷凍機１を構成するコンプレッサ２の通電を制御するためのマグネットスイッチＭｇＳＷに施された操作（この場合、コントローラ２８にて制御されマグネットスイッチＭｇＳＷがＯＦＦしている状態のときに、押し釦２３を押しマグネットスイッチＭｇＳＷを強制的にＯＮさせる操作）を処置情報としている。
【００２８】
また、マグネットスイッチＭｇＳＷにはソケット３０、３２が設けられており、このソケット３０にはマグネットスイッチＭｇＳＷのターミナル２４と導通するターミナル３１、３３が複数設けられている。そして、これらのターミナル３１、３３に前記電圧検知センサ１９や後述する逆相検知センサ２１が配線接続される。該コントローラ２８は、コントローラ２８にてマグネットスイッチＭｇＳＷのＯＦＦが通常制御で、押し釦２３が押され、後述する電流検知センサ１８が電流を検知し電圧検知センサ１９が電圧を検知（本発明の冷凍機１に施された処置を検知する手段に相当）した情報をメモリ２９に書き込んで記録する。
【００２９】
マグネットスイッチＭｇＳＷの接点２５の漏電遮断器１６側の配線には逆相検知センサ２１が接続されている（図４）。この逆相検知センサ２１は、駆動モータ１５のＲ相、Ｓ相、Ｔ相の各相に印加される周波数の順序を検知し、コントローラ２８は、予め設定された周波数の順序で駆動モータ１５の各相に周波数が印加されているか否かを検出し、予め設定された周波数の順序でない場合コントローラ２８は逆相検知センサ２１から逆相信号を検知する。尚、図４では逆相検知センサ２１を漏電遮断器１６側に接続しているが、逆相検知センサ２１はマグネットスイッチＭｇＳＷの駆動モータ１５側の方が好ましく、更に、駆動モータ１５のＲ相、Ｓ相、Ｔ相に直接接続した方がマグネットスイッチＭｇＳＷの不具合により交換した場合もマグネットスイッチＭｇＳＷへの配線の逆相もコントローラ２８で検出することができるので更に好ましい。
【００３０】
前記駆動モータ１５に設けられた三相（Ｒ相、Ｓ相、Ｔ相）に所定の順序で三相交流商用電源ＡＣの周波数が印加されることにより駆動モータ１５は決められた方向に回転する。また、三相の内の一相（例えば、Ｔ相）に線電流を検知する電流検知センサ１８が設けられている。この電流検知センサ１８は、コンプレッサ２の運転によって駆動モータ１５に流れた電流を検知する。
【００３１】
そして、コンプレッサ２の過負荷運転などによって駆動モータ１５に異常電流（本発明の異常情報に相当）が流れると、コントローラ２８は電流検知センサ１８から異常電流を検知しマグネットスイッチＭｇＳＷの接点２５を開いてＯＦＦし、駆動モータ１５への通電を遮断しその異常電流のデータをメモリ２９に記録する。また、三相の内の二相（例えば、Ｒ相、Ｔ相）には線電圧を検知する電圧検知センサ１９が設けられており、この電圧検知センサ１９もコントローラ２８に接続されている。そして、コントローラ２８は電圧検知センサ１９が線電圧の異常を検知するとマグネットスイッチＭｇＳＷをＯＦＦし、駆動モータ１５への通電を遮断しその異常電圧データをメモリ２９に記録する。
【００３２】
コントローラ２８は、前記冷凍機１の温度異常、圧力異常のデータをメモリ２９に書き込んで記録する以外に、コントローラ２８の通常制御運転中（この場合、何らかの不具合が発生しコントローラ２８が冷凍機１の運転を停止している場合）に押し釦２３が強制的に押された情報（本発明のマグネットスイッチＭｇＳＷに施された操作）、及び、漏電検知センサ１７が漏電を検知し、漏電が解消していないのに漏電遮断器１６がＯＮされたなどの操作情報（本発明の処置情報に相当）をメモリ２９に書き込んで記録する。また、コントローラ２８は、コンプレッサ２の高温異常、蒸発器５や凝縮器３の目詰まり、コンプレッサ２の液圧縮、駆動モータ１５への配線接続順序違い（逆相）、操作情報などの故障情報履歴をメモリに書き込んで記録する。
【００３３】
次に、冷凍機１の動作を説明する。尚、冷凍機１の冷媒回路内には所定量の冷媒が封入されているものとする。まず、電源スイッチ（図示せず）が入れられるとコントローラ２８はスイッチＳＷ１をＯＮにしコイル２０が励磁されるとマグネットスイッチＭｇＳＷの接点２５が閉じる。これにより、三相交流商用電源ＡＣが駆動モータ１５に通電されて冷凍機１が運転される。冷凍機１が運転されるとコンプレッサ２から高温高圧のガス冷媒が吐出側の配管２Ａに吐出される。
【００３４】
コンプレッサ２の吐出側の配管２Ａに吐出された高温高圧のガス冷媒は凝縮器３に流入しそこで放熱して凝縮液化された後、受液器（図示せず）に流入してそこで一旦貯溜される。受液器に貯溜された液冷媒は、気液分離して液冷媒だけが膨張弁４で絞られた後、蒸発器５に流入する。
【００３５】
蒸発器５に流入した液冷媒はそこで蒸発気化し、そのときに周囲から熱を吸収することにより冷却作用を発揮し図示しない冷凍、冷蔵ショーケース等の庫内を冷却する。蒸発器５を出た冷媒はアキュムレータ（図示せず）に入り、そこで未蒸発液冷媒が気液分離された後、ガス冷媒のみが入り口側の配管２Ｂからコンプレッサ２に吸い込まれるサイクルを繰り返す。
【００３６】
一方、冷凍機１の設置時には、三相交流商用電源ＡＣから漏電遮断器１６、マグネットスイッチＭｇＳＷを介して駆動モータ１５への給電経路は配線接続される。また、冷凍機１の修理或いはメンテナンスなどを行う際は、接続された給電経路の配線が外される場合があり、外された給電経路の配線は修理終了後或いはメンテナンス終了後に再度配線接続された後、コントローラ２８の制御によって冷凍機１は運転されることとなる。
【００３７】
次に、図５のフローチャートを参照してコントローラ２８の動作を説明する。尚、フローチャートでは高圧センサ１１及び低圧センサ１２による高低圧の検知を例に説明を行う。また、冷凍機１が所定の場所に設置された後、或いは、修理終了後或いはメンテナンス終了後、駆動モータ１５に三相交流商用電源ＡＣが通電されて冷凍機１が運転されているものとする。
【００３８】
まず、ステップＳ１でコントローラ２８は高圧センサ１１及び低圧センサ１２により低圧と高圧の値を検知し、低圧値が高圧値より高い場合（この場合、駆動モータ１５が逆相で運転された場合などに低圧値が高圧値より高くなる）、ステップＳ２に進む。そこで、コントローラ２８は、スイッチＳＷ１をＯＦＦしている通常の制御運転中、押し釦２３が強制的に押されてマグネットスイッチＭｇＳＷの二次側に電圧、電流が生じそれを電圧検知センサ１９、電流検知センサ１８が信号を検出した場合ステップＳ３に進む。
【００３９】
ステップＳ３でマグネットスイッチＭｇＳＷのＯＦＦがコントローラ２８で正常制御中に駆動モータ１５に通電された情報、即ち、マグネットスイッチＭｇＳＷのコイル２０部に電圧を印加していないのに押し釦２３が強制的に押された操作情報をコントローラ２８はメモリ２９に書き込んで記録する。この場合、操作情報をメモリ２９から読み出し表示装置に表示して解析することにより、コントローラ２８が通常制御運転中でマグネットスイッチＭｇＳＷがＯＦＦの時にも係わらず押し釦２３が強制的に押されたことを把握することができる。これにより、故障の発生原因を的確に把握することができるので、故障の処置を適切に行うことができるようになる。
【００４０】
前記ステップＳ１で、コントローラ２８は低圧値が高圧値より低い場合、ステップＳ４に進む。即ち、ステップＳ１でマグネットスイッチＭｇＳＷのＯＮがコントローラ２８で通常制御され冷凍機１の低圧値と高圧値が正常な値の場合はステップＳ４に進み、高圧センサ１１及び低圧センサ１２による信号検知を続行する。この場合、コントローラ２８は、高圧センサ１１及び低圧センサ１２による低圧と高圧の検知情報はメモリ２９に記録しない。
【００４１】
また、前記ステップＳ２で、コントローラ２８は、マグネットスイッチＭｇＳＷの二次側に電圧、電流が発生していない場合（駆動モータ１５が駆動されていない場合）、ステップＳ４に進む。即ち、ステップＳ２でマグネットスイッチＭｇＳＷのＯＦＦがコントローラ２８で通常制御されている場合はステップＳ４に進み、電圧検知センサ１９、電流検知センサ１８の信号検知を続行する。この場合も、コントローラ２８は電圧検知センサ１９、電流検知センサ１８の検知信号情報をメモリ２９に記録しない。
【００４２】
尚、フローチャートでは高圧センサ１１及び低圧センサ１２による高低圧の検知を例に説明したが、駆動モータ１５の逆相運転、庫内温度異常や他の図示しないセンサなどについても前述同様にコントローラ２８は異常状態発生時にそれらの情報をメモリ２９に書き込んで記録し、修理時に利用する。
【００４３】
このように、冷凍機１に発生した異常を検知する温度センサ１０、高圧センサ１１、低圧センサ１２、電流検知センサ１８などと、冷凍機１に施されたコントローラ２８にてマグネットスイッチＭｇＳＷのＯＦＦが通常制御で、押し釦２３が押される処置、及び、漏電検知センサ１７が漏電を検知し、漏電が解消していないのに漏電遮断器１６がＯＮされる処置などの操作情報と、情報を読み書き可能なメモリ２９とを備ている。これにより、冷凍機１に発生した異常に関する異常情報、及び、冷凍機１に施された処置に関する処置情報をメモリ２９に書き込んで記録することができるので、冷凍機１に発生した異常、及び、冷凍機１に施された処置の記録などをメモリ２９から読み出し、解析することにより冷凍機１の故障原因を明確に把握することができ、サービス及び修理の迅速化を図ることが可能となる。
【００４４】
また、コントローラ２８は、冷凍機１を構成するコンプレッサ２の通電を制御するため押し釦２３が押されたのを処置情報としてメモリ２９に書き込んで記録すると共に、コンプレッサ２の高温異常、蒸発器５や凝縮器３の目詰まり、コンプレッサ２の液圧縮、駆動モータ１５への配線接続順序違い（逆相）などの故障情報履歴などもメモリに書き込んで記録するので、マグネットスイッチＭｇＳＷが通常制御でＯＦＦしているときにマグネットスイッチＭｇＳＷの押し釦２３が故意に押されたのを把握することができる。これにより、故障の原因を絞り込むことが可能となり、故障の発生原因を的確に把握して迅速に故障修理を行うことができるようになる。
【００４５】
また、コントローラ２８は、マグネットスイッチＭｇＳＷのコイル２０が非通電の状態でマグネットスイッチＭｇＳＷの二次側（駆動モータ１５の各相）に電圧若しくは電流が生じたのを検出し、この電圧若しくは電流の検出によってマグネットスイッチＭｇＳＷの押し釦２３が押されたのを検知するようにしているので、マグネットスイッチＭｇＳＷのＯＦＦがコントローラ２８で通常制御されているとき押し釦２３が故意に押されたのを確実に把握することができる。これにより、冷凍機１の故障の原因を容易に絞り込むことが可能となり、故障修理を迅速に行うことができるようになる。
【００４６】
また、冷凍機１の給電経路に設けられた漏電遮断器１６に施された操作を処置情報としてメモリ２９に書き込んで記録するようにしているので、漏電後に漏電遮断器１６が復活され、その後冷凍機１の運転操作が行われたのを把握することができる。これにより、冷凍機１の故障原因を絞り込むことが可能となるので、冷凍機１の故障修理を迅速に行うことができるようになる。
【００４７】
【発明の効果】
以上詳述した如く本発明によれば、冷凍機に発生した異常を検知する手段と、冷凍機に施された処置を検知する手段と、情報を読み書き可能な記録手段とを備え、冷凍機に発生した異常に関する異常情報、及び、冷凍機に施された処置に関する処置情報を記録手段に記録するので、冷凍機に発生した異常の記録、及び、冷凍機に施された処置の記録情報を記録手段から読み出し、解析することにより冷凍機の故障の原因を明確に把握することができるようになる。これにより、サービス及び修理の迅速化を図ることが可能となる。従って、故障修理に適切な処置をとることができるようになると共に、誤った処置が施された記録情報が残るので故障の発生原因を的確に把握することができ、より一層適切な修理ができるようになるものである。
【００４８】
請求項２の発明によれば上記において、冷凍機を構成するコンプレッサの通電を制御するためのマグネットスイッチに施された操作を処置情報として記録手段に記録するので、例えば、マグネットスイッチのＯＦＦが制御装置の通常制御のときにマグネットスイッチの押し釦が故意に押されてＯＮしたのを把握することができる。これにより、故障の原因を絞り込むことが可能となる。従って、故障の発生原因を的確に把握することができ故障修理の適切な処置をとることができるので、故障修理を迅速に行うことができるようになるものである。
【００４９】
請求項３の発明によれば請求項２において、マグネットスイッチのコイルが非通電の状態で当該マグネットスイッチの二次側に電圧若しくは電流が生じたことに基づいて当該マグネットスイッチに操作が施されたことを検知するので、例えば、マグネットスイッチのＯＦＦが制御装置の通常制御のときにマグネットスイッチの押し釦が故意に押されてＯＮしたのを把握することができる。これにより、冷凍機の故障の原因を絞り込むことが可能となる。従って、故障の発生原因を的確に把握することができ故障修理の適切な処置をとることができるので、故障修理を迅速に行うことができるようになるものである。
【００５０】
請求項４の発明によれば請求項１において、冷凍機の給電経路に設けられた漏電遮断器に施された操作を処置情報として記録手段に記録するので、例えば、漏電後に漏電遮断器が復活され、その後に冷凍機の運転操作が行われたのを把握することができる。これにより、故障原因を絞り込むことが可能となる。従って、故障の発生原因を的確に把握することができ故障修理の適切な処置をとることができるので、故障修理を迅速に行うことができるようになるものである。
【図面の簡単な説明】
【図１】本発明のコントローラを備えた冷凍機の冷媒回路図である。
【図２】本発明の冷凍機のコントローラの電気回路図（漏電遮断器部分）である。
【図３】本発明の冷凍機のコントローラに用いられるマグネットスイッチの斜視図である。
【図４】本発明の冷凍機のコントローラの電気回路図（駆動モータ部分）である。
【図５】本発明の冷凍機のコントローラの一実施例の動作を示すフローチャートである。
【符号の説明】
１  冷凍機
２  コンプレッサ
３  凝縮器
５  蒸発器
１０  温度センサ
１１  高圧センサ
１２  低圧センサ
１５  駆動モータ
１６  漏電遮断器
１７  漏電検知センサ
１８  電流検知センサ
１９  電圧検知センサ
２０  コイル
２１  逆相検知センサ
２３  押し釦
２８  コントローラ
２９  メモリ
ＡＣ  三相交流商用電源
ＭｇＳＷ  マグネットスイッチ
【図１】
2004286290.tif 000003
【図２】
2004286290.tif 000004
【図３】
2004286290.tif 000005
【図４】
2004286290.tif 000006
【図５】
2004286290.tif 000007